(57)【要約】【課題】単一な引き紐を巻き取って収容するため、外部に露出される部分が長すぎず、安全を十分に確保することができる、ローマンシェードの単一な引き紐式制御装置構造を提供する。【解決手段】ローマンシェードの単一な引き紐式制御装置構造は、ベース１、巻取り部材２、第１の軸部材３、第２の軸部材４、内軸スリーブ５、外軸スリーブ６及び連結ベース７を備える。ベース１は、カーテンの外軸管Ａが対応して外側に嵌合され、第１の収納槽１１及び第２の収納槽１２を内部に有する。第２の収納槽１２の端面には、穿孔１２１が形成される。第１の収納槽１１の開口端には、外蓋１３が設けられる。外蓋１３の中央部には、固定軸槽１３１が形成され、第１の収納槽１１が外蓋１３により閉鎖される。第１の収納槽１１内には、線孔１１１が形成される。巻取り部材２は、ベース１の第１の収納槽１１内に対応して配設される。【選択図】図２
0003197775.tif 000002
【実用新案登録請求の範囲】
【請求項１】
ベース、巻取り部材、第１の軸部材、第２の軸部材、内軸スリーブ、外軸スリーブ及び連結ベースを備えたローマンシェードの単一な引き紐式制御装置構造であって、
前記ベースは、カーテンの外軸管が対応して外側に嵌合され、第１の収納槽及び第２の収納槽を内部に有し、前記第２の収納槽の端面には、穿孔が形成され、前記第１の収納槽の開口端には、外蓋が設けられ、前記外蓋の中央部には、固定軸槽が形成され、前記第１の収納槽が前記外蓋により閉鎖され、前記第１の収納槽内には、線孔が形成され、
前記巻取り部材は、前記ベースの前記第１の収納槽内に対応して配設され、前記巻取り部材は、収納室及び巻取り槽チャネルを有し、前記収納室の中央部には、前記巻取り部材が挿設される軸孔が形成され、前記巻取り槽チャネルは、前記巻取り部材の外側に形成されて引き紐を巻取り、前記引き紐は、前記ベースの前記線孔から外側へ引き出され、前記巻取り部材の前記軸孔に対応した壁面に少なくとも１つのバンプが形成され、
前記第１の軸部材は、前記巻取り部材の前記軸孔に対応して設置され、前記第１の軸部材の第１の端部には、コイルスプリングが嵌合され、前記コイルスプリングは前記巻取り部材の前記収納室内に配設され、前記第１の軸部材の第１の端部が前記ベースの前記固定軸槽に嵌入されて位置決めされ、
前記第２の軸部材は、前記ベースの前記第２の収納槽内に配設されるとともに、第１の階段部及び第２の階段部を有し、前記第１の階段部の内径には、前記第１の軸部材の第２の端部が対応して嵌合され、前記第１の階段部及び前記第２の階段部上には、第１の弾性部材及び第２の弾性部材がそれぞれ配設され、
前記内軸スリーブは、前記第１の弾性部材を覆って、前記第２の軸部材の前記第１の階段部に対応して嵌合されるとともに、前記内軸スリーブの外周にバンプが設けられ、
前記外軸スリーブは、前記第２の軸部材の前記第２の階段部に対応して嵌合されるとともに、前記第２の弾性部材に対応して当接するストッパ縁が内径に設けられ、前記外軸スリーブの前記バンプに対応した箇所には、前記バンプが変位可能な移動経路が形成され、前記移動経路は、平坦部及び傾斜部を含み、前記２つの移動経路には、環状突部がそれぞれ設けられ、前記環状突部の前記傾斜部に隣接した箇所には、径方向で延びたカムを有し、前記外軸スリーブには、移動経路の反対側に歯部が設けられ、
前記連結ベースは、前記外軸スリーブの前記歯部に対応した箇所に、互いに噛合されて駆動されるか分離される歯ブロックを有し、前記連結ベースは、前記ベースの前記第２の収納槽内に位置し、一端の軸管が前記ベースの前記穿孔に挿通され、前記カーテンの前記内軸管に対応して組み合わされることを特徴とする、
ローマンシェードの単一な引き紐式制御装置構造。
【請求項２】
前記第１の軸部材の前記第１の端部には、前記コイルスプリングの内端が嵌合される切欠溝が形成され、前記巻取り部材の前記収納室の内壁には、前記コイルスプリングの外端を固定する固定片が設けられていることを特徴とする請求項１に記載のローマンシェードの単一な引き紐式制御装置構造。
【考案の詳細な説明】
【技術分野】
【０００１】
本考案は、ローマンシェードの単一な引き紐式制御装置構造に関し、特に、単一な引き紐を巻き取って収容するため、外部に露出される部分が長すぎず、安全を十分に確保することができる、ローマンシェードの単一な引き紐式制御装置構造に関する。
【背景技術】
【０００２】
従来のカーテンには用途に応じ、従来の布式カーテン、ロールスクリーン、ローマンシェード、ベネシャンブラインドなど様々なタイプのものがあるが、如何なる種類のカーテンであっても、完全な遮蔽効果を得るためにはカーテン体の長さを窓枠に合致させる必要があった。
【０００３】
そのなかでもローマンシェード（Ｒｏｍａｎ  Ｓｈａｄｅ）は、主にカーテンの保持軸セットにより制御し、引き紐の巻取り及び放出を行い、巻取り布又はその他の材料を駆動するカーテン体を制御するが、プレーンシェード、シャープシェード、ダブルシェード、バルーンシェードなどのタイプがあった。
引き紐は、通常、底端がカーテン体の下部に接続され、カーテン体を巻取る際、引き紐を巻き取るとカーテン体の下部が巻き取られる。カーテン体の上下昇降を制御する制御器は、操作チェーンを嵌合する操作ベースを含む。操作ベースは、引き紐を巻取る回転軸を駆動させ、双方向で制御可能な操作チェーンを引っ張ると、操作ベースにより回転軸で巻き取るか、引き紐を放出して上下方向への昇降を行う。このような構造は、例えば、特許文献１〜３である。
【０００４】
従来のローマンシェードは、両方向へ制御してカーテン体を折り畳んで収容するか放出して展開するために用いる、掛け渡し方式の操作チェーン（引き紐）を有するため、取り付けられた窓枠の高さに応じ、掛け渡し方式の操作チェーンの長さに合わせてカットしなければならない上、他の固定器により掛け渡し方式の操作チェーンが位置決めされていない場合、掛け渡し方式の操作チェーンが頻繁に絡まって解けなくなったり、最悪の場合、子どもがふざけて遊んで身体、首などに絡めると生命に危険が及ぶ虞があるため、従来技術には改善が求められていた。
【先行技術文献】
【特許文献】
【０００５】
【特許文献１】台湾実用新案登録第Ｍ２９０５２９号公報
【特許文献２】台湾実用新案登録第Ｍ２６１５８６号公報
【特許文献３】台湾実用新案登録第Ｍ４２０２７６号公報
【考案の概要】
【考案が解決しようとする課題】
【０００６】
本考案の目的は、単一な引き紐を巻き取って収容するため、外部に露出される部分が長すぎず、安全を十分に確保することができる、ローマンシェードの単一な引き紐式制御装置構造を提供することにある。
【課題を解決するための手段】
【０００７】
上記課題を解決するために、本考案の第１の形態によれば、ベース、巻取り部材、第１の軸部材、第２の軸部材、内軸スリーブ、外軸スリーブ及び連結ベースを備えたローマンシェードの単一な引き紐式制御装置構造であって、前記ベースは、カーテンの外軸管が対応して外側に嵌合され、第１の収納槽及び第２の収納槽を内部に有し、前記第２の収納槽の端面には、穿孔が形成され、前記第１の収納槽の開口端には、外蓋が設けられ、前記外蓋の中央部には、固定軸槽が形成され、前記第１の収納槽が前記外蓋により閉鎖され、前記第１の収納槽内には、線孔が形成され、前記巻取り部材は、前記ベースの前記第１の収納槽内に対応して配設され、前記巻取り部材は、収納室及び巻取り槽チャネルを有し、前記収納室の中央部には、前記巻取り部材が挿設される軸孔が形成され、前記巻取り槽チャネルは、前記巻取り部材の外側に形成されて引き紐を巻取り、前記引き紐は、前記ベースの前記線孔から外側へ引き出され、前記巻取り部材の前記軸孔に対応した壁面に少なくとも１つのバンプが形成され、前記第１の軸部材は、前記巻取り部材の前記軸孔に対応して設置され、前記第１の軸部材の前記第１の端部には、コイルスプリングが嵌合され、前記コイルスプリングは前記巻取り部材の前記収納室内に配設され、前記第１の軸部材の前記第１の端部が前記ベースの前記固定軸槽に嵌入されて位置決めされ、前記第２の軸部材は、前記ベースの前記第２の収納槽内に配設されるとともに、第１の階段部及び第２の階段部を有し、前記第１の階段部の内径には、前記第１の軸部材の第２の端部が対応して嵌合され、前記第１の階段部及び前記第２の階段部上には、第１の弾性部材及び第２の弾性部材がそれぞれ配設され、前記内軸スリーブは、前記第１の弾性部材を覆って、前記第２の軸部材の前記第１の階段部に対応して嵌合されるとともに、前記内軸スリーブの外周にバンプが設けられ、前記外軸スリーブは、前記第２の軸部材の前記第２の階段部に対応して嵌合されるとともに、前記第２の弾性部材に対応して当接するストッパ縁が内径に設けられ、前記外軸スリーブの前記バンプに対応した箇所には、前記バンプが変位可能な移動経路が形成され、前記移動経路は、平坦部及び傾斜部を含み、前記２つの移動経路には、環状突部がそれぞれ設けられ、前記環状突部の前記傾斜部に隣接した箇所には、径方向で延びたカムを有し、前記外軸スリーブには、移動経路の反対側に歯部が設けられ、前記連結ベースは、前記外軸スリーブの前記歯部に対応した箇所に、互いに噛合されて駆動されるか分離される歯ブロックを有し、前記連結ベースは、前記ベースの前記第２の収納槽内に位置し、一端の軸管が前記ベースの前記穿孔に挿通され、前記カーテンの前記内軸管に対応して組み合わされることを特徴とするローマンシェードの単一な引き紐式制御装置構造が提供される。
【０００８】
前記第１の軸部材の前記第１の端部には、前記コイルスプリングの内端が嵌合される切欠溝が形成され、前記巻取り部材の前記収納室の内壁には、前記コイルスプリングの外端を固定する固定片が設けられていることが好ましい。
【考案の効果】
【０００９】
本考案のローマンシェードの単一な引き紐式制御装置構造は、従来技術と比べて以下（１）及び（２）を有する。
（１）単一な引き紐のみでローマンシェードを昇降させることができる。
（２）単一な引き紐を引っ張って放す動作により、ローマンシェードの昇降動作を行い、昇降動作を行った後に引き紐がコイルスプリングの付勢力により制御装置内に巻き取られるため、引き紐が子どもの首に巻き付く虞がなく、使用者の安全性を確保することができる。
【図面の簡単な説明】
【００１０】
【図１】本考案の一実施形態に係るローマンシェードの単一な引き紐式制御装置構造を示す斜視図である。
【図２】本考案の一実施形態に係るローマンシェードの単一な引き紐式制御装置構造を示す分解斜視図である。
【図３】本考案の一実施形態に係るローマンシェードの単一な引き紐式制御装置構造を示す側面断面図である。
【図４】本考案の一実施形態に係るローマンシェードの単一な引き紐式制御装置構造のコイルスプリングが圧縮されるときの状態を示す説明図である。
【図５】本考案の一実施形態に係るローマンシェードの単一な引き紐式制御装置構造の外軸スリーブ及び内軸スリーブの動作を示す説明図（１）である。
【図６】本考案の一実施形態に係るローマンシェードの単一な引き紐式制御装置構造の使用状態の説明図である。
【図７】本考案の一実施形態に係るローマンシェードの単一な引き紐式制御装置構造の連結ベースの動作を示す側面断面図である。
【図８】本考案の一実施形態に係るローマンシェードの単一な引き紐式制御装置構造の外軸スリーブ及び内軸スリーブの動作を示す説明図（２）である。
【図９】本考案の一実施形態に係るローマンシェードの単一な引き紐式制御装置構造の巻取り部材が回復して紐を巻取る動作を示す側面断面図である。
【考案を実施するための形態】
【００１１】
以下、本考案の実施形態について図に基づいて説明する。なお、これによって本考案が限定されるものではない。
【００１２】
図１〜図３を参照する。図１は、本考案の一実施形態に係るローマンシェードの単一な引き紐式制御装置構造を示す斜視図である。図２は、本考案の一実施形態に係るローマンシェードの単一な引き紐式制御装置構造を示す分解斜視図である。図３は、本考案の一実施形態に係るローマンシェードの単一な引き紐式制御装置構造を示す側面断面図である。
【００１３】
図１〜図３に示すように、本考案の一実施形態に係るローマンシェードの単一な引き紐式制御装置構造は、少なくともベース１、巻取り部材２、第１の軸部材３、第２の軸部材４、内軸スリーブ５、外軸スリーブ６及び連結ベース７から構成されてなる。
【００１４】
ベース１は、カーテンの外軸管Ａが対応して外側に嵌合され、第１の収納槽１１及び第２の収納槽１２を内部に有する。第２の収納槽１２の端面には、穿孔１２１が形成されている。第１の収納槽１１の開口端には、外蓋１３が設けられている。外蓋１３の中央部には、固定軸槽１３１が形成されている。第１の収納槽１１は、外蓋１３により閉鎖されている。第１の収納槽１１内には、線孔１１１が形成されている。
【００１５】
巻取り部材２は、ベース１の第１の収納槽１１内に対応して配設されている。巻取り部材２は、収納室２１及び巻取り槽チャネル２２を有する。収納室２１の中央部には、巻取り部材２が挿設される軸孔２３が形成され、収納室２１の内壁には固定片２１１が設けられている。巻取り槽チャネル２２は、巻取り部材２の外側に形成されて引き紐Ｃを巻取る。引き紐Ｃは、ベース１の線孔１１１から外部へ引き出され、巻取り部材２の軸孔２３に対応した壁面に少なくとも１つのバンプ２４が形成されている。
【００１６】
第１の軸部材３は、巻取り部材２の軸孔２３に対応して配設されている。第１の軸部材３の第１の端部には、コイルスプリング３０が嵌合される切欠溝３１が形成され、コイルスプリング３０が巻取り部材２の収納室２１内に配設され、コイルスプリング３０の他端が収納室２１の内壁の固定片２１１に嵌合され、第１の軸部材３の第１の端部がベース１の固定軸槽１３１に嵌入されて位置決めされる。
【００１７】
第２の軸部材４は、ベース１の第２の収納槽１２内に配設されるとともに、第１の階段部４１及び第２の階段部４２を有する。第１の階段部４１の内径には、第１の軸部材３の第２の端部が対応して嵌合され、第１の階段部４１及び第２の階段部４２上には、第１の弾性部材４３及び第２の弾性部材４４がそれぞれ配設される。
【００１８】
内軸スリーブ５は、第１の弾性部材４３を覆って第２の軸部材４の第１の階段部４１に対応して嵌合されるとともに、バンプ５１が外周に設けられている。
【００１９】
外軸スリーブ６は、第２の軸部材４の第２の階段部４２に対応して嵌合されるとともに、第２の弾性部材４４に対応して当接するストッパ縁６１が内径に設けられている。外軸スリーブ６のバンプ２４に対応した箇所には、バンプ２４が変位可能な移動経路６２が形成されている。移動経路６２は、平坦部６２１及び傾斜部６２２を含む。２つの移動経路６２には、環状突部６４がそれぞれ設けられている。環状突部６４の傾斜部６２２に隣接した箇所には、径方向で延びたカム６４１が設けられ、外軸スリーブ６には、移動経路６２の反対側に歯部６３が設けられている。
【００２０】
連結ベース７は、外軸スリーブ６の歯部６３に対応した箇所に、互いに噛合されて駆動するか分離される歯ブロック７１を有する。連結ベース７は、ベース１の第２の収納槽１２内に位置し、一端の軸管７２がベース１の穿孔１２１に挿通され、カーテンの内軸管Ｂに対応して組み合わされる。
【００２１】
図１〜図７を参照する。図１〜図７に示すように、実際に使用する際、まず、巻取り槽チャネル２２内の引き紐Ｃを牽引し、ベース１の線孔１１１から引き紐Ｃが外部へ引き出され、引き紐Ｃにより巻取り部材２を回転させる。第１の軸部材３の第１の端部がベース１の固定軸槽１３１内に固定されるため、第１の軸部材３は回転せず、巻取り部材２が第１の軸部材３に対応して回転すると、コイルスプリング３０が圧縮された状態となる。図４に示すように、巻取り部材２が回転すると他端のバンプ２４もそれに伴って回転し、バンプ２４が移動経路６２上で変位すると「（引き紐Ｃ）が未だ牽引されていないときにバンプ２４が平坦部６２１に位置し」、平坦部６２１に位置するバンプ２４が傾斜部６２２に向けて変位すると、外軸スリーブ６が逆時計回りで回転し、環状突部６４のカム６４１が内軸スリーブ５の外周のバンプ５１の一側に係合される。これにより、図５に示すように、内軸スリーブ５は、第１の弾性部材４３の螺旋方向と反対方向となり、第１の弾性部材４３が押し広げられて内軸スリーブ５の内壁面に当接され、内軸スリーブ５が第１の弾性部材４３により位置拘束されて回転されなくなり、バンプ２４が傾斜部６２２で適宜変位されるため、外軸スリーブ６が後方へ変位し、歯部６３が連結ベース７の歯ブロック７１に噛合される。これにより、図６に示すように、ストッパ縁６１により第２の弾性部材４４が圧縮され、引き紐Ｃが引き出される過程で、バンプ２４が常に環状突部６４の第１の側辺６４ａに当接され続けるとともに、外軸スリーブ６が回転し続け、歯部６３により歯ブロック７１が連動され、連結ベース７により内軸管Ｂが回転し続け、図７に示すように、ローマンシェードを制御する巻線ベース及び制動器（これらは本考案の特徴ではないため、ここでは詳説しない）が設けられ、内軸管Ｂが回転するに伴い、操作ベースが牽引線を巻き取ってカーテン布を収容する。
【００２２】
引き紐Ｃが放出される際は、図８及び図９に示すように、圧縮されたコイルスプリング３０は、それ自体が有する蓄勢により復位し、巻取り部材２が反対方向へ回転されるとともに引き紐Ｃが巻取り槽チャネル２２内に巻き付けられる。外軸スリーブ６はバンプ２４の押動作用を受けて第２の弾性部材４４が蓄勢により復位し、外軸スリーブ６が当接されて復位し、バンプ２４が平坦部６２１の状態に回復すると、巻取り部材２のバンプ２４が反対方向で外軸スリーブ６上の環状突部６４の第２の側辺６４ｂに当接されて外軸スリーブ６が反転される。これにより、環状突部６４のカム６４１が内軸スリーブ５の外周のバンプ５１の他側へ係合されると、第１の弾性部材４３に対応して内軸スリーブ５の螺旋方向が順方向になるため、内軸スリーブ５及び外軸スリーブ６が巻取り部材２において反対方向へ回転されると同期して回転し、連結ベース７が外軸スリーブ６の歯部６３との噛合から外れ、内軸管Ｂを回転させない。このため、カーテン布が制動器により制御されて上述した収容された状態に維持され、このときの引き紐Ｃは、引っ張るのに便利な程度の長さのみ露出されているため、引き紐Ｃが子どもの首に巻き付いてしまうなどの虞がなく、使用者の安全を確保することができる。
【００２３】
上述したことから分かるように、本考案のローマンシェードの単一な引き紐式制御装置構造は、以下（１）及び（２）の長所を有する。
（１）単一な引き紐のみでローマンシェードの昇降を行うことができる。
（２）単一な引き紐を引っ張って放す動作により、ローマンシェードの昇降動作を行い、昇降動作が完了した後、引き紐がコイルスプリングの付勢力により制御装置内に巻き取られるため、引き紐が子どもの首に巻き付く虞がなく、使用者の安全性を確保することができる。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１      ベース
２      巻取り部材
３      第１の軸部材
４      第２の軸部材
５      内軸スリーブ
６      外軸スリーブ
７      連結ベース
１１    第１の収納槽
１２    第２の収納槽
１３    外蓋
２１    収納室
２２    巻取り槽チャネル
２３    軸孔
２４    バンプ
３０    コイルスプリング
３１    切欠溝
４１    第１の階段部
４２    第２の階段部
４３    第１の弾性部材
４４    第２の弾性部材
５１    バンプ
６１    ストッパ縁
６２    移動経路
６３    歯部
６４    環状突部
６４ａ  第１の側辺
６４ｂ  第２の側辺
７１    歯ブロック
７２    軸管
１１１  線孔
１２１  穿孔
１３１  固定軸槽
２１１  固定片
６２１  平坦部
６２２  傾斜部
６４１  カム
Ａ      外軸管
Ｂ      内軸管
Ｃ      引き紐
【図１】
0003197775.tif 000003
【図２】
0003197775.tif 000004
【図３】
0003197775.tif 000005
【図４】
0003197775.tif 000006
【図５】
0003197775.tif 000007
【図６】
0003197775.tif 000008
【図７】
0003197775.tif 000009
【図８】
0003197775.tif 000010
【図９】
0003197775.tif 000011